(57)【特許請求の範囲】
【請求項１】
ネットワークを介して複数のデータ処理装置から送信されたファイルを共有するファイル共有装置において、
ファイルを保管する複数の保管装置と、
前記複数の保管装置のそれぞれに対応し、受信したファイルを当該保管装置に所定の保管形態で登録する複数の保管処理手段と、
前記複数の保管処理手段を、それぞれ、ネットワークを通して公開されファイル登録における設定と手続を一体化した共有オブジェクトとして設定する共有オブジェクト設定手段と、
ネットワークを介して接続されたデータ処理装置の画面上に、前記複数の共有オブジェクトをそれぞれアイコンとして表示する表示手段を備え、
前記データ処理装置において登録対象のファイルおよびいずれかの前記アイコンが選択されると、当該保管処理手段は当該ファイルを受信し登録することを特徴とする、ファイル共有装置。
【請求項２】
前記の保管形態はファイル形態を含むことを特徴とする請求項１に記載されたファイル共有装置。
【請求項３】
前記の保管処理手段は、登録対象のファイルの保管形態が所定の保管形態と異なる場合に、ファイル形態を所定の保管形態に変換する変換手段を備えることを特徴とする請求項２に記載されたファイル共有装置。
【請求項４】
前記の保管形態はファイルへのアクセス権を含むことを特徴とする請求項１に記載されたファイル共有装置。
【請求項５】
複数のデータ処理装置と、複数の保管装置にファイルを保管して共有するファイル共有装置とがネットワークを介して接続されているシステムにおいて、
受信したファイルを前記保管装置に所定の保管形態で登録する複数の保管処理を、それぞれ、ファイル登録における設定と手続を一体化した共有オブジェクトとして設定し、
前記複数の共有オブジェクトをそれぞれアイコンとしてデータ処理装置の画面に表示して、
データ処理装置より、登録対象のファイルおよびいずれかのオブジェクトのアイコンの選択が指示されると、選択されたアイコンに対応する共有オブジェクトが、選択されたファイルを当該保管装置に所定の保管形態で登録する
ファイル共有方法。
【請求項６】
前記保管形態はファイル形態を含むことを特徴とする請求項５に記載されたファイル共有方法。
【請求項７】
前記共有オブジェクトの設定において、登録対象のファイルの保管形態が所定の保管形態と異なる場合に、ファイル形態を所定の保管形態に変換することを特徴とする請求項６に記載されたファイル共有方法。
【請求項８】
前記保管形態はファイルへのアクセス権を含むことを特徴とする請求項５に記載されたファイル共有方法。
【請求項９】
複数のデータ処理装置と、複数の保管装置にファイルを保管して共有するファイル共有装置とがネットワークを介して接続されているシステムにおいて、
受信したファイルを前記保管装置に所定の保管形態で登録する複数の保管処理を、それぞれ、ファイル登録における設定と手続を一体化した共有オブジェクトとして設定するステップと、
前記複数の共有のオブジェクトをそれぞれアイコンとしてデータ処理装置の画面に表示するステップと、
データ処理装置より、登録対象のファイルおよびいずれかのオブジェクトのアイコンの選択が指示されると、選択されたアイコンに対応する共有オブジェクトが、選択されたファイルを当該保管装置に所定の保管形態で登録するステップと
をコンピュータに実行させるためのファイル共有プログラム。
【請求項１０】
前記の保管形態はファイル形態を含むことを特徴とする請求項９に記載されたファイル共有プログラム。
【請求項１１】
前記共有オブジェクトの設定において、登録対象のファイルの保管形態が所定の保管形態と異なる場合に、ファイル形態を所定の保管形態に変換することを特徴とする請求項１０に記載されたファイル共有プログラム。
【請求項１２】
前記保管形態はファイルへのアクセス権を含むことを特徴とする請求項９に記載されたファイル共有プログラム。
【請求項１３】
請求項９〜１２のいずれかに記載されたファイル共有プログラムを記録したコンピュータ読み取り可能な記録媒体。
【請求項１４】
複数のデータ処理装置と、複数の補完装置にファイルを保管して共有するファイル共有装置とがネットワークを介して接続されているシステムにおいて、
前記ファイル共有装置は、
ファイルを保管する複数の保管装置と、
前記複数の保管装置のそれぞれに対応し、受信したファイルを当該保管装置に所定の保管形態で登録する複数の保管処理手段と、
前記複数の保管処理手段をそれぞれファイル登録における設定と手続を一体化した共有オブジェクトとして設定する共有オブジェクト設定手段とを備え、
前記データ処理装置は、
前記複数の共有のオブジェクトをそれぞれアイコンとして表示する表示手段と、
登録対象のファイル及びいずれかの前記アイコンを選択する選択手段とを備え、
前記データ処理装置において選択された前記アイコンに対応する、前記ファイル共有装置の前記保管処理手段が、所定の保管処理を実行するファイル共有システム。
【請求項１５】
前記保管形態はファイル形態を含むことを特徴とする請求項１４に記載されたファイル共有システム。
【請求項１６】
前記保管処理手段は、登録対象のファイルの保管形態が所定の保管形態と異なる場合に、ファイル形態を所定の保管形態に変換する変換手段を備えることを特徴とする請求項１５に記載されたファイル共有システム。
【請求項１７】
前記保管形態はファイルへのアクセス権を含むことを特徴とする請求項１４に記載されたファイル共有システム。
【発明の詳細な説明】
【０００１】
【発明の属する技術分野】
本発明は、複数のコンピュータが接続されたネットワークにおける、ファイル共有装置、ファイル共有方法、ファイル共有プログラム、およびファイル共有システムに関する。
【０００２】
【従来の技術】
複数のクライアント（データ処理装置）がネットワーク経由でファイルを共有するシステムが広く利用されている。システムには、ファイルを保管する１以上のファイルサーバーが含まれ、ファイルサーバー内のファイルが各端末から共用できる。複数のファイルサーバーが接続されている場合、ファイルサーバーごとに共有ファイル登録時に必要な設定が異なっている。
ファイルサーバーへは、ユーザーが自己の端末からファイルを登録する。この場合、接続された端末がウィンドウズ系のコンピュータであれば、ネットワークアイコンから該当のファイルサーバーをダブルクリックし、共有資源を表示させ、それをドラグアンドドロップで自身の端末上にホルダアイコンとして登録できる。また、マッキントッシュ系のコンピュータであれば、同様にセレクタの機能で、上記のように、自身の端末上にホルダアイコンとして登録できる。
【０００３】
【発明が解決しようとする課題】
従来のネットワークでのファイルサーバーへのファイル保管（ファイル登録方法）では、個々のクライアントがサーバー、ディレクトリ、ファイル形態を指定することが必要であり、また、ファイル登録（管理）場所も各クライアントが選択していた。このため、保管場所や保管形態の選択判断が個々のクライアントによって違ってくるという問題があった。したがって、ある保管形態で保管しなければならないファイルサーバーに、間違えて他の保管形態のファイルが登録されることがあった。したがって、簡単に各クライアントにその保管ファイルに合致した保管先、保管形態を設定できるようにすることが望ましい。
【０００４】
この発明の目的は、ファイルサーバーを含むシステムにおいて各クライアントが正しく簡単にファイル保管ができるようにすることである。
【０００５】
【課題を解決するための手段】
本発明に係るファイル共有装置は、ネットワークを介して複数のデータ処理装置から送信されたファイルを共有するファイル共有装置において、ファイルを保管する複数の保管装置と、前記複数の保管装置のそれぞれに対応し、受信したファイルを当該保管装置に所定の保管形態で登録する複数の保管処理手段と、前記複数の保管処理手段を、ネットワークを通して公開されるファイル登録における設定と手続を一体化した共有オブジェクトとして設定する共有オブジェクト設定手段と、ネットワークを介して接続されたデータ処理装置の画面上に、前記の複数の共有オブジェクトをそれぞれアイコンとして表示する表示手段を備える。前記データ処理装置において登録対象のファイルおよびいずれかの前記アイコンが選択されると、当該保管処理手段は当該ファイルを受信し登録することを特徴とする。
【０００６】
前記ファイル共有装置において、たとえば、前記保管形態はファイル形態を含む。好ましくは、前記保管処理手段は、登録対象のファイルの保管形態が所定の保管形態と異なる場合に、ファイル形態を所定の保管形態に変換する変換手段を備える。
前記ファイル共有装置において、たとえば、前記保管形態はファイルへのアクセス権を含む。
【０００７】
本発明に係るファイル共有方法は、複数のデータ処理装置と、複数の保管装置にファイルを保管して共有するファイル共有装置とがネットワークを介して接続されているシステムにおいて、受信したファイルを前記保管装置に所定の保管形態で登録する複数の保管処理手段を、それぞれ、ファイル登録における設定と手続を一体化した共有オブジェクトとして設定し、データ処理装置により、登録対象のファイルおよびいずれかのオブジェクトのアイコンの選択が指示されると、選択されたアイコンに対応する共有オブジェクトが、選択されたファイルを当該保管装置に所定の保管形態で登録する。
前記ファイル共有方法において、たとえば、前記保管形態はファイル形態を含む。
前記ファイル共有方法において、たとえば、前記共有オブジェクトの設定において、登録対象のファイルの保管形態が所定の保管形態と異なる場合に、ファイル形態を所定の保管形態に変換する。
前記ファイル共有方法において、たとえば、前記保管形態はファイルへのアクセス権を含む。
【０００８】
本発明に係るプログラムは、複数のデータ処理装置と、複数の保管装置にファイルを保管して共有するファイル共有装置とがネットワークを介して接続されているシステムにおいて、複数の保管装置のそれぞれに対応し、受信したファイルを前記保管装置に所定の保管形態で登録する複数の保管処理を、それぞれ、ファイル登録における設定と手続を一体化した共有オブジェクトとして設定するステップと、前記共有オブジェクトをアイコンとしてデータ処理装置の画面に表示するステップと、データ処理装置より、登録対象のファイルおよびいずれかのオブジェクトのアイコンの選択が指示されると、選択されたアイコンに対応する共有オブジェクトが、選択されたファイルを当該保管装置に所定の保管形態で登録するステップとをコンピュータに実行させるためのファイル共有プログラムである。
前記ファイル共有プログラムにおいて、たとえば、前記の保管形態はファイル形態を含む。
前記ファイル共有プログラムにおいて、たとえば、前記共有オブジェクトの設定において、登録対象のファイルの保管形態が所定の保管形態と異なる場合に、ファイル形態を所定の保管形態に変換する。
前記ファイル共有プログラムにおいて、たとえば、前記保管形態はファイルへのアクセス権を含む。
本発明に係るコンピュータ読み取り可能な記録媒体は、前記ファイル共有プログラムを記録する。
本発明に係るファイル共有システムは、複数のデータ処理装置と、複数の補完装置にファイルを保管して共有するファイル共有装置とがネットワークを介して接続されているシステムにおいて、
前記ファイル共有システは、ファイルを保管する複数の保管装置と、前記複数の保管装置のそれぞれに対応し、受信したファイルを当該保管装置に所定の保管形態で登録する複数の保管処理手段と、
前記複数の保管処理手段をそれぞれファイル登録における設定と手続を一体化した共有オブジェクトとして設定する共有オブジェクト設定手段とを備え、前記データ処理装置は、前記共有のオブジェクトをアイコンとして表示する表示手段と、登録対象のファイル及びいずれかの前記アイコンを選択する選択手段とを備え、前記データ処理装置において選択された前記アイコンに対応する、前記ファイル共有装置の前記保管処理手段が、所定の保管処理を実行する。
前記ファイル共有プログラムにおいて、たとえば、前記保管形態はファイル形態を含むことを特徴とする。
前記ファイル共有プログラムにおいて、たとえば、前記保管処理手段は、登録対象のファイルの保管形態が所定の保管形態と異なる場合に、ファイル形態を所定の保管形態に変換する変換手段を備える。
前記ファイル共有プログラムにおいて、たとえば、前記保管形態はファイルへのアクセス権を含む。
【０００９】
【発明の実施の形態】
以下、添付の図面を参照して本発明の実施の形態を説明する。
図１に示すシステムにおいて、複数の共有ディレクトリ１０１〜１０６がサーバー（ＣＰＵ）２０１の記憶装置（ハードディスク装置など）に設けられ、保管先として管理される。共有ディレクトリ１０１〜１０６ごとに、クライアント（端末）３０１〜３０５は、ネットワークを介してサーバー（ＣＰＵ）２０１にアクセスし、サーバー２０１を介して共有ディレクトリ１０１〜１０６に共有ファイルを登録する。ネットワークを介したアクセスのため、サーバー２０１とクライアント３０１〜３０５とは、たとえば、ＨＴＴＰサーバーとウェブブラウザを備える。
【００１０】
サーバー２０１は、共有ディレクトリ１０１〜１０６にそれぞれ対応するファイル登録用のオブジェクト２１１〜２１６を備える。オブジェクト２１１〜２１６は、ファイル管理担当者が、共有ディレクトリ１０１〜１０６での保管ファイルに合致したファイル登録における各種設定をしたものである。オブジェクト２１１〜２１６には、共有ディレクトリ１０１〜１０６へのファイル登録における各種設定（ファイル変換の有無、変換形態、保管場所、アクセス権などの情報）が保持されている。オブジェクト２１１〜２１６は、たとえば、保管場所（<サーバー名>\<フォルダ名>）、ファイル形態、アクセス権などのデータに加え、登録、ファイル変換の有無の判断、ファイル変換が必要な場合のファイル変換などの手続を一体化したものである。この変換には、変換用のアプリケーションソフトを呼び出して実行することなども含む。
【００１１】
クライアント３０１〜３０５は、ファイル（文書など）を登録する際に、サーバー２０１のオブジェクト２１１〜２１６を利用する。クライアントの利用のため、サーバー２０１は、ネットワークを介し、ファイル登録用のオブジェクト２１１〜２１６をアイコンとして公開する。（図１においては、オブジェクトをアイコンとして表示している。）すなわち、ファイル登録における各種設定をネットワーク上で共有されたオブジェクト（アイコン）とし、共有されるオブジェクト（アイコン）には、前述のように、共有ファイル登録時に必要な各種設定を前もって保持させてある。
【００１２】
このように、ファイル登録における各種設定をネットワーク上で共有されたオブジェクト（アイコン）とし、共有されるオブジェクト（アイコン）の共有ファイル登録時に必要な各種設定を前もって保持させておく。共有されるオブジェクト（アイコン）が共有ファイル登録時に必要な各種設定を前もって保持しているため、各クライアントは、保管先（サーバー、ディレクトリ）や保管条件にかかわらず、共有されたオブジェクトのみを知ればよい。
【００１３】
各クライアント３０１〜３０５は、サーバー２０１にアクセスして、ネットワーク上で公開した共有オブジェクト（アイコン）２１１〜２１６を画面に表示し、登録対象のファイルのアイコンを、いずれかのオブジェクト２１１〜２１６のアイコン上にドラグアンドドロップする。これにより、クライアントは、登録対象のファイルを選択し、そのオブジェクトにプログラムの実行を指示する。これにより、サーバー２０１は、クライアント３０１〜３０５から、選択されたオブジェクトを通してファイルを受信し、そのオブジェクトに関連する共有ディレクトリ１０１〜１０６に共有ファイルを登録する。
【００１４】
共有されるオブジェクト（アイコン）２１１〜２１６が共有ファイル登録時に必要な各種設定を前もって保持している。このため、各クライアントは、登録時には、保管場所（サーバー、ディレクトリ）や保管条件にかかわらず、共有されたオブジェクトのみを知ればよい。これにより、各クライアントがファイル変換の有無、変換形態、保管先情報などの情報を知らずとも、サーバー２０１が各クライアント３０１〜３０５に代わって処理を行う。その際の保管時のファイル形態についても、ファイル形態の変換が必要であるとサーバー２０１が判断すれば、サーバー２０１が各クライアント３０１〜３０５に代わって処理を行う。
【００１５】
以上に説明したように、ファイル管理担当者が、簡単に各クライアントにその保管ファイルに合致した保管先と保管形態をオブジェクト（アイコン）として示す。このため、共有ファイルの登録と管理を簡略にし、各クライアントが正しく簡単にファイル保管ができる。したがって、複数のクライアントにおけるファイル登録に統一性を持たせることができ、また、誤登録を防止できる。また、登録時にセキュリティの一括管理までを行える。
【００１６】
図２は、サーバー２０１が共有オブジェクトにより各クライアント３０１〜３０５からオブジェクトを通してファイルを受信した際のオブジェクトのフローを示す。まず、受信したファイルについてファイル形式の変換が必要か否かを判断し（Ｓ１０)、必要なら、指定のファイル形態に変換する（Ｓ１２）。次に、保管場所を確認する（Ｓ１４）。次に、通信確認を行い、その結果により分岐する（Ｓ１６）。通信が確認できた場合、受信したデータをオブジェクトに登録した指定の保管場所に送る（Ｓ１８）。通信が確認できない場合、エラー処理を行う（Ｓ２０）。
【００１７】
【発明の効果】
ファイル管理担当者が、簡単に各クライアントにその保管ファイルに合致した保管先と保管形態をオブジェクトとして示すことにより、各クライアントが正しく簡単にファイル保管ができる。
共有ファイルの登録と管理を簡略にし、登録時にセキュリティの一括管理までを行える。
【図面の簡単な説明】
【図１】  ファイルサーバーを含むシステムの図
【図２】  ファイルを受信した際のサーバーの処理のフローチャート
【符号の説明】
１０１〜１０６  共有ディレクトリ、    ２０１  サーバー、    ２１１〜２１６  ファイル登録用のオブジェクト、    ３０１〜３０５  クライアント（端末）。
【図１】
0004306156.tif 000002
【図２】
0004306156.tif 000003